(57)【要約】【課題】ディジタル放送において視聴者が新聞、雑誌等でドラマ、映画等の内容を調べなくても、放送局側がＥＰＧを介しその日放送予定のドラマ、映画等の概要コンテンツの概要を知ることを可能にする。【解決手段】ドラマ、映画等の番組の概要コンテンツは放送局がその日一日の利用可能な番組を決め、サービスインフォメーション（以下ＳＩ）中のイベントインフォメーションテーブル（以下ＥＩＴ）に対象番組の概要コンテンツが存在する設定にし、かつプログラムマップテーブル（以下ＰＭＴ）にその概要コンテンツのプログラムＩＤ（以下ＰＩＤ）を設定し、かつＴＳに概要コンテンツのペイロードを追加する。受信機側ではＳＩ中のＥＩＴを元にＥＰＧを編集し、どの番組の概要コンテンツの利用が可能かを視聴者に知らせる。【選択図】  図１
2004343598.tif 000002
【特許請求の範囲】
【請求項１】
ディジタル放送を送信する放送局であり所定の番組の概要コンテンツを編集しそれをペイロードとしてトランスポートストリーム（以下ＴＳと記す）に組み込みかつそれに連動してその概要コンテンツを受信機に認識させるためにサービスインフォメーション（以下ＳＩと記す）を編集する放送局と、ディジタル放送を受信するチュ−ナ−と、それにより選局されたチャンネルのＴＳ中のＳＩにあるプログラムマップテーブル（以下ＰＭＴと記す）とイベントインフォメーションテーブル（以下ＥＩＴと記す）からエレクトリックプログラムガイド（以下ＥＰＧと記す）を編集し、そのＥＰＧ中の番組表示欄に概要コンテンツの在否ならびに利用の可否を視聴者に知らせる手段をＥＰＧに持ち、さらに視聴者はそのＥＰＧを介してリクエストを行うと概要コンテンツを任意の時間に再生することを特徴とする受信機で構成されるディジタル放送システム。
【請求項２】
前記ＰＭＴには前記ＴＳに組み込まれた概要コンテンツのＰＭＴを含み、前記ＥＩＴには当該概要コンテンツのサービスＮｏ、当該概要コンテンツの在否を表す識別子および当該概要コンテンツの利用の可否を表す識別子を記述する概要コンテンツについての情報フィールドを設けたことを特徴とする請求項１に記載のディジタル放送システム。
【請求項３】
所定の番組の概要コンテンツがペイロードとしてＴＳに組み込まれかつそれに連動する当該概要コンテンツを受信機に認識させるためのＳＩが編集されたディジタル放送を受信し、前記ＳＩから抽出された当該概要コンテンツのＰＭＴとＥＩＴに設けられた概要コンテンツについての情報フィールドに記述された当該概要コンテンツのサービスＮｏ、当該概要コンテンツの在否を表す識別子および当該概要コンテンツの利用の可否を表す識別子の情報に基づき前記所定の番組の概要コンテンツの在否ならびに利用の可否を視聴者に知らせる手段を有したＥＰＧを編集する機能を備えたことを特徴とするディジタル放送受信機。
【発明の詳細な説明】
【０００１】
【発明の属する技術分野】
本発明は、エレクトリックプログラムガイド（以下ＥＰＧと記す）を利用した任意の番組の概要コンテンツの送受信及びその再生に関するディジタル放送システムおよびディジタル放送受信機に関するものである。
【０００２】
【従来の技術】
従来の放送システムの場合、その日に放送予定されているドラマ、映画等の内容情報は新聞、雑誌で見るか時間ランダムで送られてくるＣＭで知る形態となっている。
【０００３】
また本発明の該当番組の概要コンテンツのような本放送内容とは別のコンテンツの送受信についての従来の技術としては、放送局が自身で作成したコンテンツに視聴者からのリクエストに応じインターネットから取り込んだ情報を前記コンテンツに合成し視聴者に送信するというものがある（例えば特許文献１を参照）。
【０００４】
【特許文献１】
特開２００２−１９９３７５号公報
【０００５】
【発明が解決しようとする課題】
しかしながら、従来の放送システムではドラマ、映画等の概要紹介（ＣＭ）は放送局側が決めた時間に一方的にしか送信されず、視聴者がそれらの番組の概要を知りたい時に即座にアクセスが出来ない、という課題があった。
【０００６】
またインターネットからコンテンツをロードする場合には、放送システムとは別のシステムと、受信機にはそのための特別の装置を必要とする。
【０００７】
本発明ではこのような課題を解消し、視聴者が新聞、雑誌等を閲覧しなくても任意の時間にその日放送されるドラマ、映画等の概要を知ることが出来、かつ新聞、雑誌等のように文字や番組のある一場面だけの情報を得ることしか出来ないのではなく、放送システムとは別の特別なシステムをかならずしも必要とせず、所定の番組の概要コンテンツ、例えばドラマ等のダイジェスト場面を、動画、音声を交えその内容をより詳しく知ることが出来るディジタル放送システムおよびディジタル放送受信機を提供することを目的とする。
【０００８】
さらに本発明は、当該概要コンテンツの視聴を視聴者が容易に選択できるようにすることを目的とする。
【０００９】
【課題を解決するための手段】
上記課題を解決するために、放送側では、視聴者からの任意の時間にその日放送予定のドラマ、映画等の概要コンテンツの再生リクエストに対応しなければならないためトランスポートストリーム（以下ＴＳと記す）中にある領域を確保し、指定された番組が始まる時刻がくるまでの間常時その概要を繰り返し流しておく。また該当番組に概要コンテンツが存在することを受信機に認識させるため該当ＴＳ中のサービスインフォメーション（以下ＳＩと記す）にあるプログラムマップテーブル（以下ＰＭＴと記す）、イベントインフォメーションテーブル（以下ＥＩＴと記す）といったＴＳ情報記述子に概要コンテンツの情報を追加する。
【００１０】
受信機側では、そのＴＳを受信しその日のＥＰＧを構成するが、ＥＩＴ中に概要コンテンツが存在かつ利用可能であることを検出すると、ＥＰＧの該当番組欄の一部に概要コンテンツが利用可能である旨の表示を行なう。視聴者がＥＰＧを見てドラマ、映画等の番組にその概要コンテンツが利用可能であることを知り、ＥＰＧに表示された概要コンテンツが利用可のである旨を表すシンボルをリモコン等によりセレクトすると、受信機はその概要コンテンツの情報をＰＭＴから抜き出したＩＤをセットし再生を行なうものである。
【００１１】
【発明の実施の形態】
（実施の形態１）
以下、本発明の実施の形態の一例を、図１、図２および図３を参照しながら説明する。
【００１２】
図１は放送局から送信された概要コンテンツを含んだＴＳを概要コンテンツ再生対応された受信機で受信した時に画面に表示されたＥＰＧの図である。
【００１３】
同図において、１はＥＰＧの時刻表示欄、２、３、４、５、６、７はそれぞれディジタル放送チャンネルのＣｈａｎｎｅｌＡ〜Ｆ、８はある放送時刻、９、１４、１７、１８は概要コンテンツの利用できないそれぞれ番組８、番組４、番組５、番組３、また１０、１２、１５、１９、２１は概要コンテンツの利用できるそれぞれ番組７、番組１、番組２、番組６、番組９、また１１、１３、１６、２０、２２はそれぞれ番組７、番組１、番組２、番組６、番組９に概要コンテンツが存在することを示すシンボルマーク、２３はＣｈａｎｎｅｌＡを含むＴＳ、２４はＣｈａｎｎｅｌＢ、Ｃ、Ｄを含むＴＳ、２５はＣｈａｎｎｅｌＥ、Ｆを含むＴＳである。
【００１４】
図２は図１の時刻８におけるＴＳ２４の構成イメージ図である。なお、図１において実線で示す時刻８は、本実施の形態の説明のために図中に記載したものであり、実際のＥＰＧにおいてこのような実線を必ずしも表示する必要はない。
【００１５】
同図においてＴＳは本来１８８バイトを１つのまとまりとしたパケット単位の構成であり各パケットには４バイトのパケットヘッダーやアダプテーションフィールドが付加されているが本発明には関連が薄く、また説明を容易にするため同図のように構成をイメージ的に捕らえることとする。また同図は欧州におけるＤＶＢ方式に準拠した構成としている。
【００１６】
特に同図において、本願発明の特徴である追加される概要コンテンツならびにそれに関する記述子等は図中太線で囲み、矢印をもって追加の部分を示している。
【００１７】
まず、２６はＳＩ、２８、２９、３０は時刻８におけるそれぞれ番組１、番組４、番組５のパケットのまとまり、３１、３２は時刻８以降に放送が予定されているそれぞれ番組２、番組６の概要コンテンツ、３３はプログラムアソシエーションテーブル（以下ＰＡＴと記す）、３４はＰＭＴ、３５はコンディショナルアクセステーブル（以下ＣＡＴと記す）、３６はネットワークインフォメーションテーブル（以下ＮＩＴと記す）、３７はＥＩＴ、３８、３９、４０はそれぞれ番組１、番組４、番組５のＰＭＴ、４１、４２はそれぞれ番組２、番組６の概要コンテンツのＰＭＴ、２７は番組２のサービスＮｏ、４３は番組２の番組名、内容、ジャンル等を記した記述子、４４は番組２のスタート時刻、４５は同じく放送時間長、４６は番組２が放送中であるか否かを示すステータス記述子である。
【００１８】
さらに、４７は番組２に対する概要コンテンツについての情報フィールド、５５は番組２の概要コンテンツのサービスＮｏ、４８は番組２に対する概要コンテンツの在否を表す記述子、４９は番組２に対する概要コンテンツの利用の可否を表す記述子である。なお、概要コンテンツについての情報フィールド内の記述される情報は上記のものに限らず、他の情報も記述してもかまわない。また、本実施の形態では、それぞれの情報が一塊に示しているが、概要コンテンツについての情報を記述するフィールドであることが定義されておれば、これらの情報がＥＩＴ内で分散して記述されていてもよい。
【００１９】
次に同図において、５６、５８、６０はそれぞれ番組１のＰＭＴ３８、番組４のＰＭＴ３９、番組５のＰＭＴ４０の各ＩＤ、５７、５９、６１はそれぞれ番組１、番組４、番組５の各サービスＮｏ、６２、６４はそれぞれ番組２、番組６の概要コンテンツのＰＭＴの各ＩＤ、６３、６５はそれぞれ番組２、番組６の概要コンテンツのサービスＮｏである。ここで６３は５５を指し示している。
【００２０】
図３はＥＰＧからリモコンを使い概要コンテンツを再生させる様子を描いたイメージ図である。
【００２１】
同図において５０は概要コンテンツがＥＰＧを介し任意の時間に再生出来る機能を備えた受信機、５１は受信機５０をコントロールするリモコン、５２はＥＰＧ上のカーソル、５３ａ〜５３ｄはリモコン５１においてカーソルを移動させるための十字キー、５４は決定キーである。
【００２２】
以上のように構成されたディジタル放送受信機について本発明を説明する。
【００２３】
ドラマ、映画等の概要コンテンツは放送局がその日一日の利用可能な番組を決めるが本説明ではＴＳ２４に絞って説明する。
【００２４】
ＴＳ２４を流している放送局は番組１、番組２、番組６、番組７に概要コンテンツの利用サービスをつけ、番組３、番組４、番組５、番組８には概要コンテンツの利用サービスはつけないことを考えている。なお、ここで示す番組１〜８は特定の番組を限定するものではなく、放送局側で所定の番組を選び設定するものである。受信機５０が図１のようなＥＰＧをくみ上げるために放送局がその日の２４時間分の概要コンテンツ付加を含めた番組構成情報を送るが、ＳＩ２６中のＥＩＴ３７の各番組情報には、各番組毎で全て共通仕様になっていて概要コンテンツ情報フィールド４７が追加される。その内容は概要コンテンツのサービスＮｏ５５、概要コンテンツの在否を表す記述子４８、概要コンテンツの利用の可否を表す記述子４９に分けられている。
【００２５】
受信機５０はこのフィールド４７を読み取り、概要コンテンツが付加されている番組には図１のように各番組欄に一例として表示しているＥＰＧ内にシンボルマーク１１、１３、１６、２０をつける。
【００２６】
受信機５０がチャンネルスキャニングを行った時はＳＩ２６を読み取りＥＰＧ情報を更新していく。ＰＭＴ３４中に番組１のＰＭＴ３８を検出すると、それらの番組は受信機５０に表示されたＥＰＧの番組情報を表示するポジションにポジショニングされるが、ＰＡＴ３３で番組２の概要コンテンツのＰＭＴのＩＤ６２を検出し、かつ番組２の概要コンテンツサービスＮｏ６３も検出し、ＰＭＴ３４中に番組２の概要コンテンツのＰＭＴ４１を検出した場合は、概要コンテンツのサービスＮｏ６３がＥＩＴ３７中の番組２の概要コンテンツ４７フィールド中の番組２の概要コンテンツのサービスＮｏ５５に合致していることにより、実放送番組ではなく概要コンテンツとして認識し、番組１や番組４などのように受信機５０に表示されたＥＰＧの番組情報を表示するポジションにポジショニングせず、シンボルマークをつける。
【００２７】
視聴者はＥＰＧ上のシンボルマーク１６をリモコン５１上の十字キー５３でカーソル５２を移動し、セレクトし、決定キー５４で決定した時、受信機５０は番組２の概要コンテンツのＰＭＴ４１を利用し、プログラムＩＤ（以下ＰＩＤと記す）が受信機５０で設定され概要コンテンツの再生が可能となる。
【００２８】
次に時刻関連の説明を行なう。
【００２９】
時刻８時点でＥＰＧをくみ上げる元になったＴＳ２４は図２のようになっている。この時概要コンテンツの付加された番組１、７は放送中やすでに放送終了しているためにこれらの各番組の概要コンテンツの利用の可否を表す記述子４９は利用不可のステータスになっている。受信機５０は概要コンテンツの利用の可否を表す記述子４９の情報を定期的に読み取り概要コンテンツの利用が可か不可かの情報をＥＰＧ上のシンボルマーク１１、１３、１６、２０に反映させる必要がある。一例として概要コンテンツの利用可の時はシンボルマークの色を青、利用不可の時は白に変更するという様に、概要コンテンツの利用の可否に対応して表示色を変更すれば視聴者へ知らせるのが容易になる。なお、利用の可否を示す手段はシンボルの表示色に限定するものではなく、例えば、シンボルのデザインの変更、利用の可否を示す文字の付加等、視聴者がその違いを認識できるものであればよい。
【００３０】
時刻８以前の例えばＰＭ５：００時点ではまだ放送が開始されていない番組１や番組７の概要コンテンツは視聴者にとって利用可能であり、ＴＳ２４中にはペイロードに番組２の概要コンテンツ３１や番組６の概要コンテンツ３２に加え番組１や番組７の概要コンテンツも存在し、当然ＳＩ２６中のＰＭＴ３４にも番組１や番組７の概要コンテンツのＰＭＴが存在し、かつ概要コンテンツの在否を表す記述子４８も概要コンテンツ付加の表示であり、概要コンテンツの利用の可否を表す記述子４９も利用可能表示である。ただし番組１のスタート時刻４４を過ぎると概要コンテンツの利用の可否を表す記述子４９のステータスは利用不可表示に変更され、ＴＳ２４中から番組１の概要コンテンツも削除される。するとＥＰＧのシンボルマーク１３はその色が青から無色になる、といった受信機側の仕様にもよるが、概要コンテンツ利用が不可になったことを視聴者に知らせることになる。
【００３１】
ただし、ＨＤＤ等の記憶装置を受信機側で持っていれば受信機側の仕様にあわせて何度でも再生が可能である。
【００３２】
なお、以上の概要コンテンツの在否を表す記述子４８、概要コンテンツの利用の可否を表す記述子４９の情報の変更は、ＳＩ２６を編集する放送局側で行うこととなるが、ＥＰＧを表示する時刻とＥＩＴ内の番組のスタート時刻を比較して受信機側で行うこともできる。また、受信機側が記憶装置を有し一度受信した概要コンテンツを記録保存するようにしておけば、ある時刻に受信したＴＳ内の概要コンテンツが削除された後も、受信機側で概要コンテンツが存在し、かつ利用可能とすることができる。
【００３３】
このように、概要コンテンツがペイロードとしてＴＳに組み込まれ、ＳＩに概要コンテンツのＰＭＴとＥＩＴに概要コンテンツのサービスＮｏ、概要コンテンツの在否を表す識別子および概要コンテンツの利用の可否を表す識別子を設定し、または、それを変更することで、ＥＰＧにおいて容易に視聴者への概要コンテンツに関する情報を示すことができる
【００３４】
【発明の効果】
以上説明したように、本発明によれば視聴者が新聞、雑誌等を閲覧しなくても任意の時間にその日放送されるドラマ、映画等の概要を知ることが出来、かつ新聞、雑誌等のように文字や番組のある一場面だけの情報を得ることしか出来ないのではなく、放送システムとは別の特別なシステムをかならずしも必要とせず、所定の番組の概要コンテンツ、例えばドラマ等のダイジェスト場面を、視聴者が容易に選択し、動画、音声を交えその内容をより詳しく知ることが出来る。
【図面の簡単な説明】
【図１】本発明の実施の形態１におけるＥＰＧの一例を示すイメージ図
【図２】本発明の実施の形態１におけるトランスポートストリームの構成イメージ図
【図３】本発明の実施の形態１におけるＥＰＧの使用状態を示すイメージ図
【符号の説明】
１  ＥＰＧの時刻表示欄
２、３、４、５、６、７  ディジタル放送チャンネル
８  時刻
９、１４、１７、１８  概要コンテンツの利用できない番組
１０、１２、１５、１９、２１  概要コンテンツの利用できる番組
１１、１３、１６、２０、２２  シンボルマーク
２３、２４、２５  トランスポートストリーム
２６  サービスインフォメーション
２７  番組のサービスＮｏ
２８、２９、３０  番組のパケットのまとまり
３１、３２  概要コンテンツ
３３  プログラムアソシエーションテーブル
３４  プログラムマップテーブル（ＰＭＴ）
３５  コンディショナルアクセステーブル
３６  ネットワークインフォメーションテーブル
３７  イベントインフォメーションテーブル
３８、３９、４０  番組のＰＭＴ
４１、４２  番組の概要コンテンツのＰＭＴ
４３  番組の番組名、内容、ジャンル等を記した記述子
４４  番組のスタート時刻
４５  放送時間長
４６  番組が放送中であるか否かを示すステータス記述子
４７  概要コンテンツについての情報フィールド
５５  概要コンテンツのサービスＮｏ
４８  概要コンテンツの在否を表す記述子
４９  概要コンテンツの利用の可否を表す記述子
５６、５８、６０  番組のＰＭＴの各ＩＤ
５７、５９、６１  番組の各サービスＮｏ
６２、６４  概要コンテンツのＰＭＴの各ＩＤ
６３、６５  概要コンテンツのサービスＮｏ
５２  ＥＰＧ上のカーソル
５３ａ、５３ｂ、５３ｃ、５３ｄ  十字キー
５４  決定キー
【図１】
2004343598.tif 000003
【図２】
2004343598.tif 000004
【図３】
2004343598.tif 000005